(57)【特許請求の範囲】
【請求項１】
複数の移動体端末にダウンリンク制御情報を送信する、無線通信ネットワークの基地局における方法であって、前記方法は、
夫々が前記複数の移動体端末の内の対象端末に制御情報を送信するのに定義される制御部と前記複数の移動体端末の内の対象端末にデータトラフィックを送信するのに定義されるデータ部とを含む複数の繰り返し送信インターバルで前記複数の移動体端末に制御情報とデータトラフィックとを送信する工程と、
前記制御部において送信される制御情報の全体的な量と当該制御情報の信頼性のある受信に必要とされる対応する符号化利得とを考慮して、前記制御部の全体的な情報搬送容量が不十分であると判断することにより、前記複数の移動体端末の１つ以上の端末に制御情報を送信するのに前記制御部が不十分な資源しかないと動的に判断する工程と、
前記判断に応じて、前記複数の移動体端末の内の選択された１つ以上の端末に関しては、少なくとも一時的に、前記制御部ではなくむしろ、前記データ部において制御情報を送信する工程とを有することを特徴とする方法。
【請求項２】
前記判断に応じて、制御情報の前記送信に対して明け渡した前記データ部における送信資源を最小化する機能に従って、前記複数の移動体端末の内の選択された１つ以上の端末を選択する工程をさらに有することを特徴とする請求項１に記載の方法。
【請求項３】
前記複数の繰り返し送信インターバルで前記複数の移動体端末に制御情報とデータトラフィックとを送信する工程は、前記複数の繰り返し送信インターバルとして複数の繰り返しサブフレームを含む直交周波数分割多重（ＯＦＤＭ）信号を送信する工程を含み、
各サブフレームは、前記複数のサブフレームの前記制御部として物理ダウンリンク制御チャネル（ＰＤＣＣＨ）と前記複数のサブフレームの前記データ部として物理ダウンリンク共用チャネル（ＰＤＳＣＨ）を含むことを特徴とする請求項１に記載の方法。
【請求項４】
前記複数の移動体端末の内の選択された１つ以上の端末に関しては、少なくとも一時的に、前記制御部ではなくむしろ、前記データ部において制御情報を送信する工程は、前記ＰＤＣＣＨにおけるよりはむしろ、前記ＰＤＳＣＨにおいて前記選択された１つ以上の端末を対象に制御情報を送信する工程を含むことを特徴とする請求項３に記載の方法。
【請求項５】
前記ＰＤＳＣＨにおいて拡張されたＰＤＣＣＨ（Ｅ−ＰＤＣＣＨ）を少なくとも一時的に定義する工程をさらに有し、
前記ＰＤＳＣＨにおいて前記選択された１つ以上の端末を対象に制御情報を送信する工程は、前記Ｅ−ＰＤＣＣＨにおいて前記選択された１つ以上の端末を対象に前記制御情報を送信する工程を含むことを特徴とする請求項４に記載の方法。
【請求項６】
複数の移動体端末にダウンリンク制御情報を送信する、無線通信ネットワークの基地局における方法であって、前記方法は、
夫々が前記複数の移動体端末の内の対象端末に制御情報を送信するのに定義される制御部と前記複数の移動体端末の内の対象端末にデータトラフィックを送信するのに定義されるデータ部とを含む複数の繰り返し送信インターバルで前記複数の移動体端末に制御情報とデータトラフィックとを送信する工程と、
前記複数の移動体端末の内の１つ以上の特定の端末における無線受信条件が、前記制御部において送信される制御情報に関して獲得可能な最大の符号化利得が前記複数の移動体端末の内の１つ以上の前記特定の端末における制御情報の信頼性のある受信には不十分であるようであると判断することにより、前記複数の移動体端末の１つ以上の端末に制御情報を送信するのに前記制御部が不十分な資源しかないと動的に判断する工程と、
前記判断に応じて、前記複数の移動体端末の内の選択された１つ以上の端末に関しては、少なくとも一時的に、前記制御部ではなくむしろ、前記データ部において制御情報を送信する工程とを有することを特徴とする方法。
【請求項７】
前記少なくとも一時的に、前記制御部ではなくむしろ、前記データ部において制御情報を送信する工程は、前記制御部において獲得可能な前記最大の符号化利得よりも高い符号化利得を用いて、前記データ部において、前記複数の移動体端末の内の１つ以上の前記特定の端末を対象とした制御情報を送信する工程を含むことを特徴とする請求項６に記載の方法。
【請求項８】
前記少なくとも一時的に、前記制御部ではなくむしろ、前記データ部において制御情報を送信する工程は、少なくとも前記制御部の前記最大の符号化利得が不十分であると思われる限り、前記制御部ではなくむしろ、前記データ部において所与の端末を対象として制御情報を送信する工程を含むことを特徴とする請求項６に記載の方法。
【請求項９】
前記制御部において獲得可能な前記最大の符号化利得が前記所与の端末による制御情報の信頼性のある受信には十分であると判断することに応じて、前記制御部において前記所与の端末を対象として制御情報を送信することに戻る工程をさらに有することを特徴とする請求項８に記載の方法。
【請求項１０】
無線通信ネットワークにおいて用いられる基地局であって、前記基地局は、
夫々が複数の移動体端末の内の対象端末に制御情報を送信するのに定義される制御部と前記複数の移動体端末の内の対象端末にデータトラフィックを送信するのに定義されるデータ部とを含む複数の繰り返し送信インターバルで前記複数の移動体端末に制御情報とデータトラフィックとを送信するよう構成された複数の送信器回路と、
前記複数の送信器回路とは動作的に関係し、前記制御部において送信される制御情報の全体的な量と当該制御情報の信頼性のある受信に必要とされる対応する符号化利得とを考慮して、前記制御部の全体的な情報搬送容量が不十分であると判断することにより、前記複数の移動体端末の１つ以上の端末に制御情報を送信するのに前記制御部が不十分な資源しかないと動的に判断し、前記判断に応じて、前記複数の移動体端末の内の選択された１つ以上の端末に関しては、少なくとも一時的に、前記制御部ではなくむしろ、前記データ部において制御情報を送信するよう構成された１つ以上の処理回路とを有することを特徴とする基地局。
【請求項１１】
前記基地局は、前記判断に応じて、制御情報の前記送信に対して明け渡した前記データ部における送信資源を最小化する機能に従って、前記複数の移動体端末の内の選択された１つ以上の端末を選択するよう構成されることを特徴とする請求項１０に記載の基地局。
【請求項１２】
前記基地局は、前記複数の繰り返し送信インターバルとして複数の繰り返しサブフレームを含む直交周波数分割多重（ＯＦＤＭ）信号を送信することにより、前記繰り返し送信インターバルで前記複数の移動体端末に制御情報とデータトラフィックとを送信するよう構成され、
各サブフレームは、前記複数のサブフレームの前記制御部として物理ダウンリンク制御チャネル（ＰＤＣＣＨ）と前記複数のサブフレームの前記データ部として物理ダウンリンク共用チャネル（ＰＤＳＣＨ）を含むことを特徴とする請求項１０に記載の基地局。
【請求項１３】
前記基地局は、前記ＰＤＣＣＨにおけるよりはむしろ、前記ＰＤＳＣＨにおいて前記選択された１つ以上の端末を対象に制御情報を送信することにより、前記複数の移動体端末の内の選択された１つ以上の端末に関しては、少なくとも一時的に、前記制御部ではなくむしろ、前記データ部において制御情報を送信するよう構成されることを特徴とする請求項１２に記載の基地局。
【請求項１４】
前記基地局は、前記ＰＤＳＣＨにおいて拡張されたＰＤＣＣＨ（Ｅ−ＰＤＣＣＨ）を少なくとも一時的に定義し、前記Ｅ−ＰＤＣＣＨにおいて前記選択された１つ以上の端末を対象に前記制御情報を送信することにより、前記ＰＤＳＣＨにおいて前記選択された１つ以上の端末を対象に制御情報を送信するよう構成されることを特徴とする請求項１３に記載の基地局。
【請求項１５】
無線通信ネットワークにおいて用いられる基地局であって、前記基地局は、
夫々が複数の移動体端末の内の対象端末に制御情報を送信するのに定義される制御部と前記複数の移動体端末の内の対象端末にデータトラフィックを送信するのに定義されるデータ部とを含む複数の繰り返し送信インターバルで前記複数の移動体端末に制御情報とデータトラフィックとを送信するよう構成された複数の送信器回路と、
前記複数の送信器回路とは動作的に関係し、前記複数の移動体端末の内の１つ以上の特定の端末における無線受信条件が、前記制御部において送信される制御情報に関して獲得可能な最大の符号化利得が前記複数の移動体端末の内の１つ以上の前記特定の端末における制御情報の信頼性のある受信には不十分であるようなものであると判断することにより、前記複数の移動体端末の１つ以上の端末に制御情報を送信するのに前記制御部が不十分な資源しかないと動的に判断し、前記判断に応じて、前記複数の移動体端末の内の選択された１つ以上の端末に関しては、少なくとも一時的に、前記制御部ではなくむしろ、前記データ部において制御情報を送信するよう構成された１つ以上の処理回路とを有することを特徴とする基地局。
【請求項１６】
前記基地局は、前記制御部において獲得可能な前記最大の符号化利得よりも高い符号化利得を用いて、前記データ部において、前記複数の移動体端末の内の１つ以上の前記特定の端末を対象とした制御情報を送信することにより、少なくとも一時的に、前記制御部ではなくむしろ、前記データ部において制御情報を送信するよう構成されることを特徴とする請求項１５に記載の基地局。
【請求項１７】
前記基地局は、前記制御部における制御情報の送信に関して獲得可能な最大の符号化利得が前記複数の移動体端末の内の１つの所与の端末による制御情報の信頼性のある受信には不十分であると判断することにより、前記制御部は前記複数の移動体端末の１つ以上の端末に制御情報を送信するのに不十分な資源しかないと動的に判断し、
前記基地局は、少なくとも前記制御部の前記最大の符号化利得が不十分であると思われる限り、前記制御部ではなくむしろ、前記データ部において前記所与の端末を対象として制御情報を送信することにより、少なくとも一時的に、前記制御部ではなくむしろ、前記データ部において制御情報を送信するよう構成されることを特徴とする請求項１５に記載の基地局。
【請求項１８】
前記基地局は、前記制御部において獲得可能な前記最大の符号化利得が前記所与の端末による制御情報の信頼性のある受信には十分であると判断することに応じて、前記制御部において前記所与の端末を対象として制御情報を送信することに戻るよう構成されることを特徴とする請求項１７に記載の基地局。
【発明の詳細な説明】
【技術分野】
【０００１】
本発明は一般には長期進化版（ＬＴＥ）ネットワークのような無線通信ネットワークに関し、特に、そのようなネットワークにおける制御チャネル送信の耐性を改善することに関するものである。
【背景技術】
【０００２】
第３世代パートナーシッププロジェクト（３ＧＰＰ）により公表されている長期進化版（ＬＴＥ）標準のリリース８において、移動体端末或いは他のユーザ機器（ＵＥ）は時間−周波数のベースでデータが割当てられる。所与の時間インターバルの間における特定の無線周波数の副搬送波の所与の割当ては、リソースブロック（ＲＢ）として言及され、一般に（アップリンク或いはダウンリンク）のリソース割当ては、継続したスケジュールに基づいてなされる。
【０００３】
従って、“ｅノードＢ”として言及されるＬＴＥの基地局は、とり分け、スケジュールされたリソース割当てを識別する制御情報を複数の移動体端末に送信する。特に、直交周波数分割多重（ＯＦＤＭ）ダウンリンクでは、ｅノードＢはダウンリンク制御情報（ＤＣＩ）を、物理ダウンリンク制御チャネル（ＰＤＣＣＨ）で複数の移動体端末の内の対象となる端末に送信し、ユーザデータを関連する物理ダウンリンク共用チャネル（ＰＤＳＣＨ）で複数の移動体端末の内の対象となる端末に送信する。ＰＤＣＣＨ／ＰＤＳＣＨサブフレームの例は図１に示されている。
【０００４】
ＰＤＣＣＨと関係するＰＤＳＣＨとは、ＯＦＤＭ信号の繰り返しサブフレーム内で送信される。例えば、所与の各サブフレームの最初のＮシンボル時間はＰＤＣＣＨとして割当てられ、そのサブフレームの残りの時間はＰＤＳＣＨとして割当てられる。各サブフレームにおいて、各サブフレームは盲目的にＰＤＣＣＨを復号化し、対象となっているＤＣＩメッセージを探す。端末固有の媒体アクセス制御（ＭＡＣ）レイヤの識別子は送信されたＤＣＩメッセージの対象を示すのに用いられる。異なるタイプのＤＣＩメッセージがあるが、それらはダウンリンクリソース割当てメッセージを含む。もし、移動体端末が所与のサブフレームでダウンリンクリソース割当てメッセージを受信するなら、その端末はその情報を用いてそのサブフレームのＰＤＳＣＨにおいて用いられる特定の時間−周波数リソース割当てを識別して、対象とされた移動体端末にユーザデータを搬送する。
【０００５】
その結果として、移動体端末により正しくＤＣＩメッセージを復号化するのに失敗すると、それはデータ受信の失敗につながる。例えば、移動体端末が対象となるＤＣＩメッセージを検出しないであろうし、それ故に、ＰＤＳＣＨでのユーザデータの対応する送信ができないであろう。或いは、おそらくはＣＲＣ保護のためではないであろうが、そのユーザデータに対して特定のＰＤＳＣＨリソース割当てを正しく識別しないかもしれず、その誤ったデータを復号化しようと試みるかもしれない。関与するＤＣＩメッセージのタイプに依存して、ＤＣＩ復号化の失敗は、スケジュールされたアップリンク送信ができないことや正しくスケジュールされないアップリンク送信になることや電力制御の妨害や電力制御の正しくない挙動などの別の結果につながる。包括的なＤＣＩの詳細については非特許文献１を参照することができるが、ここで選択された詳細を識別するには有用であるかもしれない。
【０００６】
例えば、ロケーション、変調、ｅノードＢの送信方式などについての情報は、各サブフレームのＰＤＣＣＨに含まれる。所与のシステムバンド幅に関し、この制御シグナリングのために用いられるＯＦＤＭシンボルの数は主として、現在のサブフレームにおいてスケジュールされることになる移動体端末の数に依存する。各ＤＣＩ（メッセージ）は、特定の移動体端末に対するスケジュールされた割当てをあいまいさなく復号化する方法を識別する情報を含んでいる。
【先行技術文献】
【非特許文献】
【０００７】
【非特許文献１】技術仕様  ＴＳ３６．２１２
【発明の概要】
【発明が解決しようとする課題】
【０００８】
現在の標準では、いくつのビットが所与の移動体端末に対するＤＣＩを復号化するために用いられるのかについての上限値がある。もちろん、ＤＣＩを送信するのに利用可能な全ビットの数は、エラー保護符号化の量についての定義された上限値を利用可能にセットする。即ち、ＤＣＩビットの全ては最大の符号化利得を利用可能に定義する。より特定的に言えば、ＤＣＩは最大で８つのチャネル制御要素（ＣＣＥ）に符号化される。ここで、ＣＣＥは、７２ビットに相当する、３６個のリソース要素（ＲＥ）或いはＱＰＳＫシンボルとして定義される。このような構成を用いて、図２に現れる例では、最小符号化速度はＸ／５７６となる。ここで、Ｘは、１６ビットのＣＲＣを含む、ＤＣＩに対する符号化されていないビットの数である。この符号化速度は主として、対象となる移動体端末における達成可能な符号化性能を決定し、従って、信頼性をもってスケジュールされた割当てを復号化するための当該端末の能力を決定する。
【０００９】
所与の定義されたＯＦＤＭ周波数バンド内で小さい数のＲＢが利用可能である小さなシステムバンド幅に対しては、移動体端末の数とスケジュール可能な対応する個々の符号化速度は、利用可能なＣＣＥの数によって限定される。一定の受信条件では、そして、一定のＤＣＩ符号化速度に対しては、受信性能、例えば、所与の移動体端末におけるＤＣＩ復号化に対するブロックエラー率（ＢＬＥＲ）性能は受け入れられるものではないかもしれない。例えば、ＬＴＥ  ＯＤＦＭバンド幅が１．４ＭＨｚ、２つのアンテナからのｅノードＢの送信、そして、１／６のＤＣＩ符号化速度を仮定すると、相対的に高いＢＬＥＲを典型的なＲＡＮ４テストのシナリオで動作する移動体端末が経験するものとなる。
【課題を解決するための手段】
【００１０】
１実施例においては、無線通信ネットワークにおいて用いられる基地局は、複数の送信器回路と、複数の送信器回路とは動作的に関係する１つ以上の処理回路とを有する。これらの送信器回路は、夫々が複数の移動体端末の内の対象端末に制御情報を送信するのに定義される制御部とこれら複数の移動体端末の内の対象端末にデータトラフィックを送信するのに定義されるデータ部とを含む複数の繰り返し送信インターバルで複数の移動体端末に制御情報とデータトラフィックとを送信するよう構成される。都合の良いことに、これら処理回路は、複数の移動体端末の１つ以上の端末に制御情報を送信するのに前記制御部が不十分な資源しかないと動的に判断し、その判断に応じて、複数の移動体端末の内の選択された１つ以上の端末に関しては、少なくとも一時的に、前記制御部ではなくむしろ、前記データ部において制御情報を送信するよう構成される。
【００１１】
そのような１実施例では、その基地局は、前記制御部において送信される制御情報の全体的な量と当該制御情報の信頼性のある受信に必要とされる対応する符号化利得とを考慮して、前記制御部の全体的な情報搬送容量が不十分であると判断することにより、前記制御部は前記複数の移動体端末の１つ以上の端末に制御情報を送信するのに不十分な資源しかないと動的に判断する。さらに、或いは、その代わりに、その基地局は、前記複数の移動体端末の内の１つ以上の特定の端末における無線受信条件が、前記制御部において送信される制御情報に関して獲得可能な最大の符号化利得が前記複数の移動体端末の内の１つ以上の前記特定の端末における制御情報の信頼性のある受信には不十分であるようなものであると判断することにより、前記制御部は前記複数の移動体端末の１つ以上の端末に制御情報を送信するのに不十分な資源しかないと動的に判断する。
【００１２】
前記制御部における獲得可能な最大の符号化利得が所与の端末における信頼性のある受信には不十分であると思われる事例の場合には、その基地局は、１つ以上の実施例において、前記制御部の前記最大の符号化利得よりも高い符号化利得を用いて、前記データ部において前記所与の端末を対象として制御情報を一時的に送信する。さらに、少なくともそのような１実施例において、その基地局は、前記制御部の獲得可能な前記最大の符号化利得が前記所与の端末による制御情報の信頼性のある受信には十分であると判断することに応じて、前記制御部において前記所与の端末に制御情報を送信することに戻る。
【００１３】
またさらに、少なくとも１つの実施例では、その基地局は、例えば、長期進化版（ＬＴＥ）の基地局を含む。ここで、その基地局は、前記複数の繰り返し送信インターバルとして複数の繰り返しサブフレームを含む直交周波数分割多重（ＯＦＤＭ）信号を送信することにより、繰り返し送信インターバルで複数の移動体端末に制御情報とデータトラフィックとを送信するよう構成され、各サブフレームは、前記複数のサブフレームの前記制御部として物理ダウンリンク制御チャネル（ＰＤＣＣＨ）と前記複数のサブフレームの前記データ部として物理ダウンリンク共用チャネル（ＰＤＳＣＨ）を含む。そのような実施例では、少なくとも一時的に、前記制御部ではなくむしろ、前記データ部において制御情報を送信することには、前記ＰＤＣＣＨにおけるよりはむしろ、前記ＰＤＳＣＨにおいて前記選択された１つ以上の端末を対象に制御情報を送信することを含む。
【００１４】
またさらに、少なくともそのような１つの実施例では、その基地局は、前記ＰＤＳＣＨにおいて拡張されたＰＤＣＣＨ（Ｅ−ＰＤＣＣＨ）を少なくとも一時的に定義するよう構成される。ＰＤＳＣＨの論理的サブチャネルとしてこの拡張された制御チャネルを定義することに対応して、その基地局は、前記Ｅ−ＰＤＣＣＨにおいて前記制御情報を送信することにより、前記ＰＤＳＣＨにおいて前記選択された１つ以上の端末を対象に制御情報を送信するよう構成される。１つ以上のそのような実施例では、その基地局は、ＰＤＣＣＨでＥ−ＰＤＣＣＨで前記選択された１つ以上の端末に対する制御情報のロケーションを識別するポインタを送信するように構成される。
【００１５】
もちろん、本発明は上述の特徴や利点により限定されるものではない。確かに当業者であれば、次の詳細な説明を読み添付図面を見るときに付加的な特徴や利点を認識するであろう。
【図面の簡単な説明】
【００１６】
【図１】ＬＴＥ信号についての従来のＰＤＣＣＨ／ＰＤＳＣＨサブフレームを示す図である。
【図２】ＰＤＣＣＨで制御情報を送信するために公知のＣＣＥの寄せ集めを示す図である。
【図３】送信信号のデータ領域において制御信号を選択的に送信するよう構成された基地局の一実施例と、基地局の信号のデータ領域からの制御情報を選択的に探索し復号化するよう構成された移動体端末の一実施例とを含む無線通信ネットワークを示すブロック図である。
【図４】基地局の送信器回路と処理回路の一実施例を描いたブロック図である。
【図５】基地局の処理ロジックの一実施例を描いた論理フローチャートである。
【図６】全ての制御情報が送信信号の制御部で搬送される場合についての制御／データ送信を例示する基地局の送信信号を示す図である。
【図７】少なくともいくらかの制御信号が送信信号のデータ部で搬送される場合についての制御／データ送信を例示する基地局の送信信号を示す図である。
【図８】ＬＴＥ実施形についての図であり、そこでは、拡張されたＰＤＣＣＨ領域内で選択された制御情報の送信に関し、拡張されたＰＤＣＣＨ領域がＬＴＥサブフレームのＰＤＳＣＨ部の中で定義されることが考慮されている。
【図９】ＬＴＥ実施形についての図であり、そこでは、データトラフィックではなくむしろ制御情報を搬送するのに用いられるＰＤＳＣＨリソースを指示するポインタがサブフレームの制御領域で送信されることが考慮されている。
【図１０】ＬＴＥ実施形においてＤＣＩの送信／受信に用いられるような基地局と移動体端末の別の実施例を示すブロック図である。
【図１１】、
【図１２】、
【図１３】基地局の送信信号のデータ部からの制御情報を受信／復号化する移動体端末の処理での種々の実施例を描いた論理フローチャートである。
【図１４】基地局の送信信号のデータ部で制御情報を選択的に送信する基地局の処理ロジックの実施例を描いた論理フローチャートである。
【発明を実施するための形態】
【００１７】
図３は、１つ以上の基地局１４を有する無線アクセスネットワーク（ＲＡＮ）１２を含む無線通信ネットワーク１０を図示している。基地局１４はコアネットワーク（ＣＮ)１６と通信で結合しており、ＣＮ１６は、例えば、インターネットや他のパケットデータネットワークのような１つ以上の外部ネットワークと通信で結合している。この構成に基づいて、ネットワーク１０は通信で、端末２０−１、２０−２などとして示されている複数の移動体端末２０と互いに、或いは、他のユーザ機器或いは外部ネットワーク１８を介してアクセス可能なシステムと結合している。
【００１８】
図４は基地局１４の実施例に対する詳細な例を与えており、そして、その詳細な例に従えば、基地局１４は複数の送信器回路２２と１つ以上の処理回路２４とを有している。複数の送信器回路２２は、複数の移動体端末２０に制御情報とデータトラフィックとを繰り返し送信インターバルで送信するように構成されている。各送信インターバルは複数の移動体端末の内の対象端末に制御情報を送信するのに定義される制御部と複数の移動体端末の内の対象端末にデータトラフィックを送信するのに定義されるデータ部とをもつ。これに対応して、複数の処理回路２４は動作的に複数の送信器回路と関係しており、複数の移動体端末の内の１つ以上の端末に制御情報を送信するのに十分なリソースがないことを動的に判断するように構成されている。複数の処理回路２４はさらに、その判断に応じて、複数の移動体端末の内の選択された１つ以上の端末に対して、制御部におけるよりむしろ、データ部において制御情報を一時的に送信するよう構成されている。
【００１９】
少なくとも１つの実施例では、複数の処理回路２４は、例えば、動的ベースで、制御部の容量が、基地局１４によりサポートされている複数の移動体端末２０の内の１つ、いくつか、或いは、いずれかに信頼性をもって送信するには不十分であるかどうかを判断するよう構成された容量評価器２６を含む。関係するコントローラ２８はこれに対応して、制御情報が制御部において排他的に送信されるのか、或いは、（複数の移動体端末２０の１つ以上の端末に対して）データ部において送信されるのかを制御するように構成される。言い換えると、制御部の容量が不十分であると思われる程度まで、複数の移動体端末２０の内、選択された１つ以上の端末に対する制御情報が少なくとも一時的に制御部における送信からデータ部における送信にシフトされる。
【００２０】
１つ以上の実施例において、基地局１４は、例えば、コントローラ２９を介して、制御情報の送信に対して明け渡したデータ部における送信資源を最小化する機能に従って、複数の移動体端末２０の内の選択された１つ以上の端末を選択するよう構成される。さらに、１つ以上の実施例において、基地局１４は、制御部において送信される制御情報の全体的な量と当該制御情報の信頼性のある受信に必要とされる対応する符号化利得とを考慮して、制御部の全体的な情報搬送容量が不十分であると判断することにより、制御部は複数の移動体端末２０の１つ以上の端末に制御情報を送信するのに不十分な資源しかないと動的に判断するよう構成される。
【００２１】
言い換えると、基地局１４はそのような実施例において、もし、いずれか１つ以上の送信インターバルにおいて複数の移動体端末２０の内の対象となる端末に送信される制御情報の全体量が制御部の情報搬送容量を越えるなら、制御部が不十分なリソースしかないとみなす。もちろん、特定の移動体端末２０に対する信頼性のある送信のために制御情報を符号化するのに必要とされる符号化利得の大きさは、これら移動体端末２０に関係するチャネルの品質に依存する。従って、制御部の情報搬送容量は、より小さな符号化利得しか許容されないのであればより多くの情報が送信される一方、より大きな符号化利得（より多くの冗長性がある）が必要とされるならより少ない情報が送信されるという意味において、変化するかもしれない。
【００２２】
少なくとも１つの実施例では、基地局１４は、複数の移動体端末２０の内の１つ以上の特定の端末における無線受信条件が、制御部において送信される制御情報に関して獲得可能な最大の符号化利得が複数の移動体端末の内の１つ以上の前記特定の端末における制御情報の信頼性のある受信には不十分であるようなものであると判断することにより、制御部は複数の移動体端末の１つ以上の端末に制御情報を送信するのに不十分な資源しかないと動的に判断するよう構成される。例えば、図２に戻ってみると、ＬＴＥ実施例では、複数の移動体端末２０の内のいずれかの所与の端末を対象とした制御情報を復号化するのに割当てられるＣＣＥの数には上限値があることを理解できる。ＣＣＥの数のこのキャップは、複数の移動体端末２０の内のいずれかの所与の端末を対象とした制御情報を符号化するのに利用可能な最大の符号化利得に対応している。
【００２３】
実際的な事柄として、ＬＴＥ又は別のシステムにおいて、いずれか所与の移動体端末に送信される制御情報を符号化するのに利用可能な符号化利得には有限の制限値がある。しかしながら、所与のチャネル構造、利用可能なチャネルリソースの量などがあると、データ部の達成可能な符号化利得が制御部のそれを越えることがあるかもしれない。従って、１つ以上の実施例では、基地局１４は、制御部において獲得可能な最大の符号化利得よりも高い符号化利得を用いて、データ部において、複数の移動体端末の内の１つ以上の特定の端末を対象として制御情報を送信することにより、少なくとも一時的に、制御部ではなくむしろ、データ部において制御情報を送信するよう構成される。
【００２４】
例えば、１つ以上の実施例において、基地局１４は、制御部における制御情報の送信に関して獲得可能な最大の符号化利得が複数の移動体端末２０の内の１つの所与の端末による制御情報の信頼性のある受信には不十分であると判断する。複数の移動体端末２０の内の１つ以上の所与の端末は、貧弱な受信条件を経験しているかもしれない。この環境において、基地局１４は、少なくとも制御部の最大の符号化利得が不十分であると思われる限り、制御部ではなくむしろ、データ部において前記所与の端末を対象として制御情報を送信することにより、少なくとも一時的に、データ部において制御情報を送信する。さらに、基地局１４は少なくとも１つのそのような実施例において、制御部において獲得可能な最大の符号化利得が前記所与の端末による制御情報の信頼性のある受信には十分であると判断することに応じて、制御部において前記所与の端末を対象に制御情報を送信することに戻るよう構成される。
【００２５】
再び図３を参照すると、瞬間的には、複数の移動体端末２０は基地局１４により第１のサブセット３０−１と第２のサブセット３０−２とにグループ化されると見える。即ち、基地局１４は、１つ以上の実施例において、それがサポートしている複数の移動体端末２０の論理的サブセットを形成するように構成されるかもしれない。ここで、第１のサブセット３０−１における複数の移動体端末２０を対象とした制御情報は基地局の送信インターバルの制御部において送信される。逆に言えば、第２のサブセット３０−２における複数の移動体端末２０を対象とした制御信号は送信インターバルのデータ部において送信される。
【００２６】
当業者であれば、１つ以上の実施例における基地局１４はサブセットのメンバシップを動的に決定するよう構成され、そして、いずれか所与の送信インターバルに関しては制御情報はデータ部において送信されないかもしれないことを認識するであろう。より広い意味では、基地局１４は、制御部はいずれか所与の送信インターバルにおいて送信される必要のある制御情報を送信するのに十分なリソースをもっているかどうかを動的に評価し、これに対応して、どの移動体端末２０が論理的に第２のサブセット３０−２に（１つ、２つ、或いは、それ以上の送信インターバルの間）置かれるのかを選択するように構成されるかもしれないことを理解すべきである。
【００２７】
一般に、図５の論理フローチャートの例に示されているように、基地局１４は、複数の移動体端末２０にダウンリンク制御情報（ＤＣＩ）を送信する方法を実装する。その方法は、制御情報とデータトラフィックとを、繰り返し送信インターバルにおいて複数の移動体端末２０に送信する（ブロック１００）ことを含む。各送信インターバルは、複数の移動体端末の内の対象端末に制御情報を送信するのに定義される制御部と複数の移動体端末の内の対象端末にデータトラフィックを送信するのに定義されるデータ部とをもつ。その方法はさらに、制御部が複数の移動体端末の内の１つ以上の端末に制御情報を送信するのに十分なリソースをもっていると動的に判断する（ブロック１０２）ことを含み、その判断に応じて、複数の移動体端末の内の１つ以上の選択された端末に対して、少なくとも一時的に制御部におけるというよりむしろ、データ部において制御情報を送信する（ブロック１０４）ことを含む。
【００２８】
例として、基地局１４の複数の処理回路２４は、関係するプログラムとデータのメモリ回路とともに１つ以上のマイクロプロセッサとサポートインタフェース回路とを含む。この構成を用いて、図５に図示された処理の少なくともいくつかは、基地局１４に含まれるか、或いは、基地局１４によりアクセス可能なコンピュータ可読媒体、例えば、１つ以上の不揮発性メモリ回路、ハードディスクなどに格納された１つ以上のコンピュータプログラムにおけるプログラム命令の実行に基づいて実行される。
【００２９】
これら実装例の詳細に係らず、図６は、基地局１４により用いられるダウンリンク信号構造の例を図示している。ダウンリンク信号４０は論理的に、夫々が制御部４４とデータ部４６とに分割される一連の繰り返し送信インターバル４２を有していることが分かる。例えば、ＬＴＥでは、ダウンリンク信号４０は集合的にはＯＦＤＭ周波数バンドを表現する数多くの副搬送波を有している。この文脈では、送信インターバル４２は０．５ミリ秒の複数のサブフレームを有し、制御部４４とデータ部４６とはそのサブフレーム内で異なる時間−周波数リソースを有している。
【００３０】
図７は、１つ以上のインターバル４２のデータ部４６の中に少なくともいくつかの信号リソース４８がデータではなくむしろ制御情報を搬送するのに割当てられている場合についての送信信号４０を図示している。ＬＴＥの場合、これら信号リソース４８は、データ部４６を含む時間−周波数リソースの全体的なセットの内に、固有の時間−周波数リソース割当てがあるであろう。
【００３１】
特に、図８はＬＴＥ特有の１つの例を図示している。この場合、ダウンリンク信号は、複数の繰り返しサブフレームを含み、各サブフレームの第１の部分はＰＤＳＣＨとしての役目を果たし、ＤＣＩを対象となる移動体端末２０に搬送し、各サブフレームの残りの部分はＰＤＳＣＨとしての役目を果たし、対象となる移動体端末２０にデータトラフィックを搬送する。しかしながら、この基本的な構造はいくつかのＤＣＩがＰＤＳＣＨで送信されるように変形されるものであることを理解できる。即ち、１つ以上の移動体端末２０を対象としたＤＣＩは従来のようにＰＤＣＣＨで送信される一方、１つ以上の別の移動体端末２０を対象としたＤＣＩはＰＤＳＣＨで送信される。データトラフィックではなくむしろＤＣＩを搬送するのに割当てられるＰＤＳＣＨの領域は、拡張されたＰＤＣＣＨ（Ｅ−ＰＤＣＣＨ）として言及される。
【００３２】
従って、ここで考慮している１つ以上のＬＴＥ実施例において、Ｅ−ＰＤＣＣＨがＰＤＳＣＨ内で、おそらくは必要に応じて定義され、ＤＣＩを選択された移動体端末２０に搬送するのに用いられる。より上位のレイヤでのシグナリングが１つの実施例では用いられる。ここで、基地局１４はＰＤＳＣＨの時間−周波数リソース内のＥ−ＰＤＣＣＨのロケーションを示す。他の実施例では、そのロケーションは移動体端末２０には、例えば、デフォルト構成に従って知られるものであり、そのようなシグナリングは必要ない。さらに別の実施例では、基地局１４はＰＤＣＣＨでいくつかのＤＣＩを送信するように構成され、Ｅ−ＰＤＣＣＨでいくつかのＤＣＩがＰＤＳＣＨの論理サブチャネルとして搬送される。しかしながら、図９に示されているように、基地局１４はＰＤＣＣＨで必要に応じてＤＣＩポインタを送信する。ＤＣＩポインタは、Ｅ−ＰＤＣＣＨのために用いられる各ロケーションを示すものである。即ち、ＤＣＩポインタはＰＤＳＣＨにおいて、どこでＤＣＩを見つけるのかを示すものである。そのようなポインタ各々は、特定の移動体端末２０のＭＡＣ  ＩＤ、或いは、他の識別子に符号化され、所与の移動体端末２０がそれを対象とするＤＣＩポインタを認識できるようにする。ポインタの１つの利点は、それらが小さいものである点にあり、これはＰＤＣＣＨにおいて利用可能な最大の符号化利得が一般には、移動体端末２０への送信、貧弱なチャネル条件にさえある移動体端末への送信のために信頼性をもってポインタを符号化するのに十分であることを意味している。
【００３３】
ＬＴＥの例に関して続けると、図１０は基地局１４と移動局２０とのブロック図を示しており、これらのエンティティのＬＴＥ版に対して実装できるものである。基地局１４は１つ以上の送受信アンテナ５０、受信器５４とともに前述の送信器回路２２を含むトランシーバ回路５２を含んでいる。さらに、基地局の１つ以上の処理回路２４はここでは、スケジューラ６０とＤＣＩ送信コントローラ６２とを含み、そのコントローラは図３で紹介した送信コントローラのバージョンとして理解されると良い。
【００３４】
移動局は１つ以上の送受信アンテナ７０と、受信器７４と送信器７６を含むトランシーバ回路７２とを有する。移動局２０はさらに、ベースバンドプロセッサ８０を含む１つ以上の処理回路７８を含む。そのベースバンドプロセッサはＤＣＩデコーダ８２を含むか、或いは、そのデコーダに関係している。１つ以上の実施例におけるベースバンドプロセッサ８０は、ＤＳＰをベースにした回路のようなマイクロプロセッサベースの回路を有している。
【００３５】
当業者であれば理解できるように、移動体端末２０のＤＣＩデコーダ８２は受信したＯＦＤＭサブフレームのＤＣＰＣＨ部分を盲目的に復号化し、特に移動体端末２０を対象としたＤＣＩを探すように構成されている。しかしながら、この明細書で呈示される教えに従えば、ＤＣＩデコーダ８２はさらに、少なくともいくつかの動作ケースではＤＰＳＣＨからＤＣＩを復号化するように構成される。
【００３６】
例えば、１つの実施例では、ＤＣＩデコーダ８２は、ＰＤＣＣＨにおける対象となるＤＣＩの探索の結果に基づいて、選択的なベースで、ＰＤＳＣＨにおいて対象となるＤＣＩを捜索する。図１１はそのような処理を示すものであり、そこでは移動体端末２０は、複数の繰り返しサブフレームにおいてＰＤＣＣＨとＰＤＳＣＨを含むＯＦＤＭ信号を受信する（ブロック１１０）。移動体端末２０はＰＤＣＣＨでその端末を対象としたＤＣＩを探索する（ブロック１１２）。その探索に基づいて、移動体端末２０は選択的に、ＰＤＳＣＨでその端末を対象としたＤＣＩを探索する（ブロック１１４）。
【００３７】
図１２は、この“選択的探索”の一例を図示している。例示された処理では、移動体端末２０はＯＦＤＭ信号の現在のサブフレームにおけるＰＤＣＣＨを探索し（ブロック１２０）、対象となるＤＣＩが見出されたかどうかを判断する（ブロック１２２）。もしそうであるなら（ブロック１２２からのＹＥＳ）、移動体端末２０は現在のサブフレームに対するＤＣＩ探索を停止（ブロック１２４）する。即ち、ＰＤＣＣＨで対象となるＤＣＩを見出すなら、対象となるＤＣＩについてＰＤＳＣＨを探索しない。これに対して、もし、移動体端末が現在のサブフレームにおいてＰＤＣＣＨで対象となるＤＣＩを見出せないなら（ブロック１２２からのＮＯ）、ＤＣＩ探索を現在のサブフレームに関してＰＤＳＣＨにまで拡張する（ブロック１２６）。なお、移動体端末はサブフレーム当り複数のＤＣＩメッセージを受信することもできる。従って、ここで考慮している１つ以上の実施例では、移動体端末、即ち、Ｅ−ＰＤＣＣＨは、たとえＰＤＣＣＨで最初のＤＣＩメッセージを見出したとしても、Ｅ−ＰＤＣＣＨでＤＣＩを引き続き探索するよう構成されている。そのような挙動は、例えば、より上位レイヤのシグナリングを介して構成される。
【００３８】
図１３が移動体端末の処理の別の例を図示しており、そこでは移動体端末２０はいずれかの所与のサブフレームのＰＤＳＣＨにおいて対象となるＤＣＩを探索するべきか、探索するべきではないかに関して、選択的な決定を行う。ここで、移動体端末２０は対象としているＤＣＩに対して、そして、いずれかの対象としているＤＣＩポインタに対して、現在のサブフレームでＰＤＣＣＨを探索する（ブロック１３０）。もし、移動体端末２０がＰＤＣＣＨで対象となるＤＣＩを見出したなら（ブロック１３２からのＹＥＳ）、現在のサブフレームでのＤＣＩの探索を停止する（ブロック１３４）。これに対して、もし、ＰＤＣＣＨで対象となるＤＣＩを見出せないなら、しかし、その代わりに、対象となるＤＣＩポインタを見出すなら（ブロック１３６からのＹＥＳ）、対象とするＤＣＩポインタにより指示されるＰＤＳＣＨの特定の時間−周波数リソースにおいて対象となるＤＣＩを探索する（ブロック１３８）。
【００３９】
類似の実施例では、ＤＣＩポインタは所与の移動体端末のＭＡＣ  ＩＤを対象にしているか、対象となるＤＣＩを搬送するのに用いられるＰＤＳＣＨリソースを必ずしも示す必要はない。例えば、ＰＤＳＣＨにはそのような情報を搬送するのにデフォルトのロケーションがあるかもしれないし、或いは、そのロケーションは基地局１４にシグナリングされたかもしれない。そのような場合には、所与の移動体端末２０による対象となるＤＣＩポインタの受信によりその移動体端末２０にＰＤＳＣＨの知られた或いはデフォルトのロケーションで対象となるＤＣＩを探索させる。またさらに、少なくとも１つの実施例では、基地局１４は明示的に移動体端末２０にシグナリングを行って、対象となるＤＣＩがＰＤＳＣＨで送信されるかどうかを示す。
【００４０】
いずれの場合でも、基地局１４により送信されるＯＦＤＭ信号の所与のサブフレーム（或いは、一連のサブフレーム）に関して、基地局１４はＰＤＣＣＨで全てのＤＣＩを（従来の基地局のように）送信しても良い。或いは、基地局１４はＰＤＳＣＨ、例えば、ＰＤＳＣＨの論理サブチャネルとして定義されるＥ−ＰＤＣＣＨでＤＣＩの少なくとも一部を送信するように選択しても良い。図１４は基地局の処理の例を示している。その例は、基地局の送信ＯＦＤＭ信号の所与のサブフレーム、或いは、一連のサブフレームに関して実行される処理を表わしている。
【００４１】
図１４の例示された処理では、基地局１４は継続的に、複数の繰り返しサブフレームで、ＰＤＣＣＨとＰＤＳＣＨとを含むＯＦＤＭ信号を送信する（ブロック１４０）。さらに、送信信号の１つ以上のいずれかのサブフレームに関し、基地局１４は、基地局１４によりＰＤＣＣＨ／ＰＤＳＣＨでサポートされる複数の移動体端末２０の第１のサブセットについてはＰＤＣＣＨでＤＣＩを送信する（ブロック１４２）。さらに、基地局１４は、複数の移動体端末の第２のサブセットについてはＰＤＳＣＨでＤＣＩを（付加的に、或いは代替的に）選択的に送信する（ブロック１４４）。そのような処理はさらに、第１と第２のサブセットにおけるメンバシップを動的に決定する基地局１４を含む（ブロック１４６）。
【００４２】
当業者であれば、実際の基地局の処理は図１４で描写した単純化され順次的な処理とは異なることを認識するであろう。例えば、サブセットのメンバシップを基地局が継続的に決定することは並列的になされても良いし、或いは、バックグランド処理としてなされても良い。一方、基地局１４は制御情報とデータトラフィックとを継続的に複数の移動体端末２０に送信している。同様に、ＰＤＣＣＨで全てのＤＣＩを送信するのか、或いは、ＰＤＳＣＨで少なくともいくらかのＤＣＩを送信するのかの選択的な決定は、対象となる移動体端末２０の全てに必要なＤＣＩの全てを信頼性をもって送信するのにＰＤＣＣＨが十分なリソースをもっているかどうかを基地局が継続的に監視することに基づいているかもしれない。
【００４３】
前に説明したように、必要とされるＤＣＩを送信するのにＰＤＣＣＨが十分なリソースをもっているかどうかの判断は多くの変数に依存する。例えば、特定の移動体端末２０を対象としたＤＣＩの信頼性のある受信に必要な符号化利得は、その移動体端末で優勢なチャネル条件に依存するであろう。従って、いずれか所与のサブフレームにおいてＤＣＩがＰＤＣＣＨで送信される移動体端末２０の全体数は、それら端末２０のチャネル条件に依存するであろう。もちろん、異なるタイプのＤＣＩはより多くの数のビットを、或いは、より少ない数のビットを必要とし、いずれか所与のサブフレームにおいてＤＣＩがＰＤＣＣＨで送信される移動体端末２０の全体数はさらに、送信される特定のＤＣＩに依存する。
【００４４】
そのため、広く言えば、１つ以上の実施例において、基地局１４は繰り返し送信インターバルとして複数の繰り返しサブフレームを含む直交周波数分割多重（ＯＦＤＭ）信号を送信することにより、その繰り返し送信インターバルで複数の移動体端末２０に制御信号とデータトラフィックとを送信するように構成される。各サブフレームは、複数のサブフレームの制御部として物理ダウンリンク制御チャネル（ＰＤＣＣＨ）と複数のサブフレームのデータ部として物理ダウンリンク共用チャネル（ＰＤＳＣＨ）とを含む。
【００４５】
少なくとも１つのそのような実施例では、基地局１４はＰＤＣＣＨにおけるよりはむしろ、ＰＤＳＣＨにおいて選択された１つ以上の端末を対象に制御情報を送信することにより、複数の移動体端末２０の内の選択された１つ以上の端末に関して、少なくとも一時的に、制御部ではなくむしろ、データ部において制御情報を送信するよう構成される。特に、そのような１つの実施例では、基地局１４は、ＰＤＳＣＨにおいてＥ−ＰＤＣＣＨを少なくとも一時的に定義し、Ｅ−ＰＤＣＣＨにおいて選択された１つ以上の移動体端末２０を対象に制御情報を送信することにより、ＰＤＳＣＨにおいて選択された１つ以上の移動体端末２０を対象に制御情報を送信するよう構成される。
【００４６】
上記の処理により基地局１４は、例えば、ＬＴＥのｅノードＢは、基地局が送信する信号の制御部において獲得可能なより高い符号化利得を用いて、基地局が送信するデータ部において制御チャネル情報を符号化することに基づいて、所与の移動体端末２０に送信されるその制御チャネル情報の耐性を増すことができる。それで、少なくとも１つのそのような実施例では、基地局１４はチャネル品質レポート、例えば、所与の移動体端末２０からのチャネル品質インジケータ（ＣＱＩ）を、制御部が移動体端末２０に信頼性をもって制御情報を送信するのに十分な符号化利得を提供しているかどうかを判断するための基準として評価する。もし、十分な符号化利得がないなら、少なくともその移動体端末２０に関しては、少なくとも貧弱なチャネル条件が持続している限り、基地局１４は、その基地局が送信するデータ部を用いてその移動体端末２０を対象とした制御情報を送信する。従って、いったんＰＤＣＣＨの符号化とブースティング（boosting）との内の少なくともいずれかにより提供される制御チャネルの耐性が不十分になったら、基地局１４はその制御情報に対してより高い符号化利得を用い、Ｅ−ＰＤＣＣＨでこれを送信する。
【００４７】
一般には、移動体端末２０は、ＤＣＩが従来ＰＤＣＣＨで受信されるようにＥ−ＰＤＣＣＨで受信されるＤＣＩを処理する。しかしながら、少なくとも１つの実施例において、ダウンリンクリソース割当てに付随する制御情報は現在のサブフレームに対するよりもむしろ、将来のサブフレームに対して妥当なものである。例えば、従来より、どのＰＤＳＣＨリソースがダウンリンクデータトラフィックを搬送するのかを所与の移動体端末２０に伝える対象となるＤＣＩが、そのＤＣＩが受信される同じサブフレームにおけるＰＤＳＣＨ復号化のために用いられている。即ち、ダウンリンクリソース割当て情報は、そのダウンリンクデータトラフィックが送信されるのと同じサブフレームで送信される。しかしながら、ここで考慮しているように、所与のサブフレームにおいてＥ−ＰＤＣＣＨで所与の移動体端末２０に送信されるダウンリンクリソース割当て情報は、現在のサブフレームというよりむしろ将来のサブフレームに関係する。
【００４８】
１つのそのような実施例では、Ｅ−ＰＤＣＣＨで送信される制御情報は現在のサブフレームというよりむしろ次のサブフレームに関係する。この構成は、ＰＤＳＣＨが搬送する制御情報を現在のサブフレームに適用させるのと比較して、移動体端末２０におけるバッファリングと処理オーバヘッド、即ち、処理遅延量を軽減する。しかしながら、ＬＴＥでは、１つのサブフレームの遅延（１ミリ秒）が導入されるが、Ｅ−ＰＤＣＣＨでＤＣＩを受信する移動体端末２０は依然としてサブフレーム毎にＤＣＩを受信できる。そのような情報は、１サブフレームだけの単なる“オフセット”である。述べたように、一般的な場合には、Ｅ−ＰＤＣＣＨで送信される制御情報は将来のサブフレームに関係し、そのサブフレームは次のサブフレームでも良く、或いは、すこし後のサブフレームでも良い。それ故に、ここで説明する遅延（オフセット）は少なくとも１つのサブフレームである。
【００４９】
従って、ＰＤＳＣＨにおける１つ或いは幾つかの無線ベアラ（ＲＢ）が用いられて、次のサブフレームのような将来のサブフレームの制御情報を搬送する。これは、ＰＤＣＣＨが少なくとも選択されたＯＦＤＭ副搬送波に関して、そのサブフレームのＰＤＳＣＨ部分にまで拡張できるように、時間方向にＰＤＣＣＨの領域を効果的に拡張する。述べたように、制御情報の送信に明け渡したＰＤＳＣＨリソースは、標準的なＰＤＣＣＨ領域からの制御情報をうまく復号化することができない場合、ＰＤＳＣＨの制御領域を引き続き復号化するように、推測に基づいて、移動体端末２０により知られる。ＰＤＳＣＨから復号化されたいずれの制御情報も次のサブフレームに関係するかもしれず、これにより、１つのサブフレームの初期待ち時間を課すものとなるが、次のサブフレームに対する情報のスケジューリングと以前のサブフレームの制御情報により示されるデータの復号化とは同時的に実行される。
【００５０】
さらに、所与の移動体端末２０はいつＰＤＳＣＨ領域で制御情報を探索するのかを決定する規則に従って動作しても良い。例えば、移動体端末が低いＳＮＲシナリオにあることが知られ、そして、従来のＰＤＣＣＨの復号化が成功しないときにはいつでも、拡張された探索モードが起動される。図１２に戻ると、すぐに、ブロック１２６がこの点で変更可能であることが理解されるであろう。
【００５１】
例えば、移動体端末２０は２つのテストに適用するかもしれない。即ち、第１には、移動体端末２０は、対象のＤＣＩがＰＤＣＣＨ領域で見いだされたかどうかを判断する（ブロック１２２）。もし、見いだされないなら、移動体端末２０はそのチャネル条件、例えば、受信信号品質の現在の指標或いは最近の指標を評価する。もし信号品質が高い、例えば、定義された閾値よりも高いなら、移動体端末２０は、ＰＤＣＣＨにおける対象ＤＣＩを見出すことができなかったと信じる理由はなく、従って、ＰＤＳＣＨへと制御情報の探索を拡げることはない。これに対して、移動体端末２０がＰＤＣＣＨにおいて対象となるＤＣＩを見出すことができず、その信号品質が低いなら、移動体端末２０は制御情報の探索をＰＤＳＣＨへと拡張する。
【００５２】
もちろん、本発明は、前述の説明や添付図面により限定されるものではない。むしろ、本発明は、次の添付した請求の範囲とその法的均等物とによってのみ限定されるものである。
【図１】
0005530457.tif 000002
【図２】
0005530457.tif 000003
【図３】
0005530457.tif 000004
【図４】
0005530457.tif 000005
【図５】
0005530457.tif 000006
【図６】
0005530457.tif 000007
【図７】
0005530457.tif 000008
【図８】
0005530457.tif 000009
【図９】
0005530457.tif 000010
【図１０】
0005530457.tif 000011
【図１１】
0005530457.tif 000012
【図１２】
0005530457.tif 000013
【図１３】
0005530457.tif 000014
【図１４】
0005530457.tif 000015